(57)【要約】【課題】  本発明は、シンプルな構造で製造コスト及び設置費用が安く、扉の防音性、防煙性及び防水性等を向上することができる新規な扉圧接具及びこの扉圧接具を備えてなる扉を提供することを目的とする。【解決手段】  扉の密閉性を高めるために備え付けられる扉圧接具であって、概扉圧接具は、係止突起又は案内路の各々いずれかが設けられた係止レバー及び係合部からなり、扉における戸板及び戸枠に対し、前記係止レバー及び前記係合部の各々いずれかを設け、前記係止レバーを回動させると共に、前記係止突起を前記案内路に沿って嵌合点に導くことにより、戸板を戸枠に向かって圧接することを特徴とする扉圧接具。【選択図】  図４
2009114650.tif 000002
【特許請求の範囲】
【請求項１】
扉の密閉性を高めるために備え付けられる扉圧接具であって、
概扉圧接具は、係止突起又は案内路の各々いずれかが設けられた係止レバー及び係合部からなり、
扉における戸板及び戸枠に対し、前記係止レバー及び前記係合部の各々いずれかを設け、
前記係止レバーを回動させると共に、前記係止突起を前記案内路に沿って嵌合点に導くことにより、
戸板を戸枠に向かって圧接することを特徴とする扉圧接具。
【請求項２】
二組の係止レバー及び係合部からなり、係止レバー同士が架橋されている請求項１に記載の扉圧接具。
【請求項３】
請求項１又は２に記載の扉圧接具を１ないし複数箇所に備え付けてなることを特徴とする扉。
【請求項４】
戸板及び／又は戸枠における当接箇所の一部ないし全部には、シール部材が備えられてなる請求項３に記載の扉。
【請求項５】
扉が引き戸である請求項３又は４に記載の扉。
【請求項６】
扉が、防災用扉である請求項３ないし５のいずれか１項に記載の扉。
【発明の詳細な説明】
【技術分野】
【０００１】
本発明は、扉の密閉性を高めるために備え付けられる扉圧接具及びこの扉圧接具を備えてなる扉に関する。
【背景技術】
【０００２】
一般的な扉としては、レール状の戸枠に沿って戸板がスライドする「引き戸式」のものと、戸枠の一辺に回動自在に取り付けられた戸板が弧を描きながら開閉する「開き戸式」のものが代表的であるが、いずれの形式の扉においても、戸板の円滑な運動を確保するために、戸板と戸枠に間隙（あそび）が生じるように設計されている。
【０００３】
即ち、この戸板と戸枠に設けられた間隙は、扉のスムーズな開閉のために不可欠なものではあり、特に、防火扉や防煙扉などの重く、嵩高い扉にあっては、より大きな間隙を設けることが必要となる。しかしながら、その一方で、この間隙は、扉の密閉性を低下させる原因となるものであり、防水、防煙或いは防音等の観点からは、戸板と戸枠が形成する間隙をできるだけ小さくすることが必要となる。
【０００４】
そのため、最近では、扉を閉めた状態において、戸板を戸枠に向かって圧接して、戸板と戸枠間に生じる間隙をできるだけ小さくし、もって、防水性、防煙性或いは防音性等を向上させた扉が研究・開発されている（例えば、下記特許文献１〜３参照。）。
【０００５】
【特許文献１】特開２００３−３１４１５９号公報
【特許文献２】特開２００４−１１３２５８号公報
【特許文献３】特開２００５−１９４８５２号公報
【発明の開示】
【発明が解決しようとする課題】
【０００６】
しかしながら、前記特許文献１〜３に記載の発明は、いずれもその構造が比較的複雑なため、製造コスト及び設置費用などのコストがかかりすぎるため実現的ではない。
【０００７】
そこで、本発明者は、このような問題を解決すべく鋭意検討を重ねた結果、扉の密閉性を高めるために備え付けられる扉圧接具であって、概扉圧接具は、係止突起又は案内路の各々いずれかが設けられた係止レバー及び係合部からなり、扉における戸板及び戸枠に対し、前記係止レバー及び前記係合部の各々いずれかを設け、前記係止レバーを回動させると共に、前記係止突起を前記案内路に沿って嵌合点に導くことにより、戸板を戸枠に向かって圧接することを特徴とする本発明の扉圧接具を完成するに至ったのである。
【０００８】
即ち、本発明者は、係止突起又は案内路の各々いずれかが設けられた係止レバー及び係合部からなる非常にシンプルな構造の本発明の扉圧接具を完成するに至ったのであり、この扉圧接具を扉における戸板及び戸枠に設ければ、前記係止レバーを回動させると共に、前記係止突起を前記案内路に沿って嵌合点に導くことにより、戸板を戸枠に向かって圧接することができるとの知見を得たのである。
【０００９】
又、本発明の扉圧接具は、シンプルな構造であることから製造コストが安価で、しかも既存の扉に二次的に備え付けることも可能であり、設置費用の点からも大幅なコストや巣を実現することが可能になるとの知見を得たのである。
【００１０】
本発明は、上記知見に基づき完成されたものであり、シンプルな構造で製造コスト及び設置費用が安く、扉の防音性、防煙性及び防水性等を向上することができる新規な扉圧接具及びこの扉圧接具を備えてなる扉を提供することを目的とする。
【課題を解決するための手段】
【００１１】
以上の課題を解決する手段である本発明の扉圧接具は、扉の密閉性を高めるために備え付けられる扉圧接具であって、概扉圧接具は、係止突起又は案内路の各々いずれかが設けられた係止レバー及び係合部からなり、扉における戸板及び戸枠に対し、前記係止レバー及び前記係合部の各々いずれかを設け、前記係止レバーを回動させると共に、前記係止突起を前記案内路に沿って嵌合点に導くことにより、戸板を戸枠に向かって圧接することを特徴とする。
【００１２】
又、本発明の扉は、前記本発明の扉圧接具を１ないし複数箇所に備えたことを特徴とする。
以下、本発明の扉圧接具及び扉について、順に詳細に説明する。
【００１３】
本発明の扉圧接具は、扉の密閉性を高めるために備え付けられるものである。
【００１４】
更に詳しくは、本発明の扉圧接具は、扉を閉めた状態で、当該扉における戸板を戸枠に向かって圧接（押圧）することにより扉の密閉性を高め、もって、防音性、防煙性及び防水性等を向上させるために備え付けられるものである。
【００１５】
この本発明の扉圧接具は、係止突起又は案内路の各々いずれかが設けられた係止レバー及び係合部からなる。
【００１６】
即ち、本発明の扉圧接具は、係止レバー及び係合部の二つの部材からなり、各部材には、係止突起又は案内路の各々いずれかが設けられたものである。従って、係止レバーに係止突起が設けられた場合には係合部に案内路が設けられるのであり、一方、係止レバーに案内路が設けられた場合には係合部に案内路が設けられるのである。
【００１７】
又、本発明の扉圧接具は、扉における戸板及び戸枠に対し、前記係止レバー及び前記係合部の各々いずれかを設けることにより備え付けられる。
【００１８】
即ち、本発明の扉圧接具は、係止レバーを戸板に備えた場合には係合部が戸枠に備え付けられるのであり、一方、係止レバーを戸枠に備えた場合には係合部が戸板に備え付けられるのである。なお、係止レバーは戸板又は戸枠に対し、回動（揺動）自在に備え付けられるのであり、一方、係合部は戸板又は戸枠に対して固定された状態で備え付けられることになる。
【００１９】
そして、本発明の扉圧接具は、このように扉における戸板及び戸枠に備え付けられた状態で、前記係止レバーを回動させると共に、前記係止突起を前記案内路に沿って嵌合点に導くことにより、戸板を戸枠に向かって圧接する点に最も大きな特徴を有する。
【００２０】
即ち、本発明の扉圧接具における係止レバー及び係合部は、戸板及び戸枠にそれぞれ独立して備え付けられているが、係止レバーを回動させることにより、係止突起を案内路に沿わせれば、係止突起が案内路の途中ないし最終位置に設けた嵌合点に導かれ、係止レバー及び係合部が連結することになる。
【００２１】
この際、係止レバーにおける回動中心と係止突起までの距離、及び案内路に設けられた嵌合点の位置に応じて、連結状態での係止レバーと係合部間の隔離距離が決定される。その一方で、係止レバーと係合部は戸板と戸枠にそれぞれ備え付けられているから、前記隔離距離に応じて、戸板と戸枠間の間隙が変化するのである。
【００２２】
この隔離距離が戸板と戸枠間に設けられた通常の間隙を小さくするものであれば、戸板が戸枠に向かって引き付けられて圧接されることになり、扉の密閉性が向上するのである。
【００２３】
なお、扉が引き戸の場合にあっては、通常、レール状の戸枠が戸板を表裏両面から挟んでいることから、前記隔離距離が戸板と戸枠間に設けられた通常の間隙を小さくするものであっても、大きくするものであっても、戸板が表裏いずれかの戸枠に向かって圧接されることになり、扉の密閉性を向上することができる。
【００２４】
ところで、本発明の扉圧接具を扉における適当な一箇所のみに備えた場合にあっても、扉の密閉性は相当向上する。
【００２５】
但し、津波による浸水対策などのより一層の密閉性及び頑丈性を必要とする場合等にあっては、複数の本発明の扉圧接具を扉の複数箇所に備えることが必要であり、少なくとも、扉の両端２箇所に備えることが一般的に好ましい。
【００２６】
しかしながら、本発明の扉圧接具を扉に対し複数備えると、その数の分だけ係止レバーを操作する必要が生じ、津波などの緊急時等において、迅速な対応が困難となる。
【００２７】
又、その後、一旦連結した複数の扉圧接具を一つずつ開放する作業も非常に頓雑であるばかりか、災時における救出作業の障害となる場合もあることも考えられる。
【００２８】
そこで、本発明の扉圧接具を扉の複数箇所に備え付ける場合にあっては、二組の扉圧接具をセットにし、係止レバー同士を架橋することにより、一度の操作で、二組の扉圧接具を同時に操作できるように構成することが好ましい。
【００２９】
次に、本発明の扉について詳細に説明するが、前述の本発明の扉圧接具において説明した事項と重なる点は、繰り返しを避けるため説明を省略する。
【００３０】
本発明の扉は、前記本発明の扉圧接具を１ないし複数箇所に備え付けてなることを特徴とするものである。
【００３１】
即ち、本発明の扉においては、備え付けられている本発明の扉圧接具における係止レバーを直接ないし間接的に操作することにより、その密閉性を高めることができるのであり、もって防音性、防煙性及び防水性等を向上することができるのである。
【００３２】
ところで、本発明の扉においては、戸板を戸枠に対して圧接した際における、戸板と戸枠の当接する箇所の一部ないし全部にシール部材を備え、より一層の密閉性の向上を図ることが好ましい。
【００３３】
なお、このシール部材としては、ゴムや樹脂などの弾力性及び復元性に富む素材で形成することが好ましく、又、このシール部材は戸板及び戸枠のいずれか一方若しくは両方に備えられるのである。
【００３４】
ここで、本発明の扉としては、特に限定されるものではなく、引き戸式のものであっても開き戸式のものであっても良い。
【００３５】
しかしながら、蝶番などを用いて戸枠の一辺に戸板が回動自在に固定されている開き戸式の扉にあっては、一般に当該固定部分が不動のため、均一に戸板を戸枠に圧接できない場合がある。
【００３６】
その一方で、引き戸式の扉は、その構造上、戸板と戸枠間に間隙をより多く確保する必要があり、一般的に、開き戸式の扉より密閉性が劣る。
【００３７】
そこで、本発明の扉圧接具が備えられる本発明の扉としては、レール状の戸枠に沿って戸板がスライドする引き戸式のものとすることが好ましい。
【００３８】
又、本発明の扉圧接具が備えられる本発明の扉は、その密閉性を著しく向上することができることから、特に津波や洪水に対する浸水対策や、火災などにおける防煙対策としての防災用扉として利用するのが特に好ましい。
【発明の効果】
【００３９】
本発明は、前記構成を有し、シンプルな構造で製造コスト及び設置費用が安く、充分に扉の防音性、防煙性及び防水性等を向上することができる新規な扉圧接具及びこの扉圧接具を備えてなる扉である。
【００４０】
即ち、本発明の扉圧接具は、係止突起又は案内路の各々いずれかが設けられた係止レバー及び係合部からなる非常にシンプルな構造であり、これより製造コストが安価で、しかも既存の扉に二次的に備え付けることも可能であり、設置費用の点からも大幅なコストや巣を実現することが可能になるのである。
【００４１】
そして、この本発明の扉圧接具を扉における戸板及び戸枠に設ければ、前記係止レバーを回動させると共に、前記係止突起を前記案内路に沿って嵌合点に導くといった非常に簡単な作業により、戸板を戸枠に向かって圧接してその密閉性を高めることができるのであり、もって防音性、防煙性及び防水性等を向上することができるのである。
【発明を実施するための最良の形態】
【００４２】
以下、本発明の扉圧接具及びこの扉圧接具を備えてなる本発明の扉を実施するための最良の形態を説明するが、本発明はこの実施例に限定されるものではない。
【００４３】
図１は、本発明の扉圧接具１を備えてなる本発明の扉２を示す模式図（通常の使用状態）であり、図２は、その断面図である。
【００４４】
この扉２は、戸板７の上端部及び下端部にそれぞれ上吊車２１及びガイドローラ２２を配することによりスライド性を向上した引き戸式の防災扉であり、通常の使用状況下においては、戸板７と戸枠８との間に適当な間隙９が生じるように設計されている。
【００４５】
一方、扉圧接具１は、係止レバー３及び係合部４の二つの部材からなり、係止レバー３には係止突起６が設けられ、一方、係合部４には、案内路５が設けられている。
【００４６】
本実施例においてこの扉圧接具１は、扉２における戸板７の中ほどに前記係止レバー３を回動軸３１に対して回動自在に設けると共に、扉２における戸枠８の立板に前記係合部４を固定することにより備え付けられている。
【００４７】
又、本実施例においては、二組の扉圧接具１をセットにし、係止レバー３同士を架橋レバー３２で架橋することにより、一度の操作で、二組の扉圧接具１を同時に操作できるように構成している。
【００４８】
そして、この扉圧接具１を備えてなる扉２は、その密閉性を向上する必要が生じた場合、まず、図３に示すように戸板７を完全に閉め、その後、図４に示すように係止レバー３を回動させると共に、係止突起６を案内路５に沿って嵌合点５１に導く。
【００４９】
即ち、図５の断面図に示すように、本実施例において、扉圧接具１の係止レバー３及び係合部４は、戸板７及び戸枠８にそれぞれ独立して備え付けられているが、係止レバー３を回動させることにより、係止突起６が案内路５の最終位置に設けた嵌合点５１に導かれ、係止レバー３及び係合部４が連結することになる。
【００５０】
この際、係止レバー３における回動中心３１と係止突起６までの距離、及び案内路５に設けられた嵌合点５１の位置に応じて、連結状態での係止レバー３と係合部４間の隔離距離が決定される。
【００５１】
そして、本実施例においては、この隔離距離が戸板７と戸枠８間に設けられた通常の間隙９を小さくするものであることから、戸板７が戸枠８に向かって引き付けられて圧接されることになり、扉の密閉性が向上するのである。
【００５２】
なお、本実施例においては、戸板７と戸枠８の当接する箇所にシール部材１０を備えており、より一層の密閉性の向上を図っている。
【図面の簡単な説明】
【００５３】
【図１】図１は、本発明の圧接具を備えてなる本発明の扉を示す模式図である。
【図２】図２は、本発明の圧接具を備えてなる本発明の扉を示す断面図である。
【図３】図３は、本発明の圧接具を備えてなる本発明の扉を閉めた状態を示す模式図である。
【図４】図４は、本発明の圧接具を備えてなる本発明の扉において、その密閉性を向上させた状態を示す模式図である。
【図５】図５は、本発明の圧接具を備えてなる本発明の扉において、その密閉性を向上させた状態を示す断面図である。
【符号の説明】
【００５４】
１  扉圧接具
２  扉
３  係止レバー
４  係合部
５  案内路
６  係止突起
７  戸板
８  戸枠
９  間隙
１０  シール部材
【図１】
2009114650.tif 000003
【図２】
2009114650.tif 000004
【図３】
2009114650.tif 000005
【図４】
2009114650.tif 000006
【図５】
2009114650.tif 000007